(57)【要約】【課題】遊戯場で使用される遊戯玉の運搬台車での作業性を良くし作業負担の軽減をはかると共に運搬台車の構造を簡素にして遊技場の狭い通路において使い易い運搬台車を提供する事。【解決手段】運搬台車の台車基盤２の４隅に遊戯玉収容箱を積載する箱受け台１の昇降案内用の支柱４を建て、その受け台の下側に支柱に案内保持される形に圧縮バネ５を取り付け且そのバネの強さを遊戯球の充填された収容箱の重量分でその箱の高さ分沈むように設定したものを使用して積載した最上部の収容箱の高さが一定になるようにした。【選択図】図１
0003130609.tif 000002
【実用新案登録請求の範囲】
【請求項１】
台車基盤（２）と上部枠（７）とで固定された複数の支柱（４）と、その支柱に案内され上下に滑動する箱受け台（１）とその箱受け台の下側に支柱に保持案内される形にバネ（５）を取り付け、且台車基盤部に車輪（３）を取り付けてなる。遊戯場用運搬台車。
【考案の詳細な説明】
【技術分野】
【０００１】  本考案は遊戯場における遊戯玉収容箱の運搬台車の構造に関する物である。
【背景技術】
【０００２】  パチンコ遊技機等に使用されている金属球やコインは量が多くなると通常プラスチック製の収容箱に入れて持ち運ばれるが、その収容箱数が複数になると台車によって運搬する事になる。  そしてその遊戯玉で満杯になった収容箱はかなりの重量物なのでそれらを繰り返し積み降ろしする作業はそれを取り扱う作業者にとって重い負担となっている。【０００３】その作業のうち最も作業者の負担になるのは台車に積まれた遊戯玉で満杯になった収容箱をしゃがんで持ち上げる作業である。  その作業を軽減する為に様様な装置付の運搬台車が考案されており、例えば下記の特許文献例１のように遊戯玉収容箱を積載したテーブルを手回しハンドル操作を動力源に昇降作動できるようにしたものや、特許文献例２のようにてこを利用した足踏み力や同じく文献例３のように電動モータを動力源に台車に積載された遊戯玉の収容箱を昇降させて作業者の負担の軽減を図るなど様様な工夫がなされている。  又既に遊戯場で使用されている運搬台車に足踏み式の油圧リフトテーブルを使用しているものなどがある。
【特許文献１】  特開２００４−２４２９０号公報
【特許文献２】  特開平８−２０７７８号公報
【特許文献３】  特開平９−３２３８９５号公報
【考案の開示】
【考案が解決しようとする課題】
【０００４】  上記のように、遊戯玉が充填された玉収容箱が積載された状態のものを昇降させるために考案され使用されている従来の遊戯場用運搬台車においては、いずれも昇降機構に複雑な機械構造が採用され、為にその台車が大きく重いものになっている。  このことは遊戯場の面積効率を高める為できるだけ運搬通路を狭くしたい使用者にとっては好ましい事ではない、又複雑な機械構造部は直接台車の製造コストを高いものにしている。
【課題を解決する為の手段】
【０００５】  本考案はその遊戯玉収容箱の積み下ろし作業の負荷軽減を図ると共に台車の構造を簡素なものとする為、運搬台車の昇降動作の作動力源として圧縮バネのみを使用することによって一定の高さ位置で遊戯玉の収容箱の積み上げ収容並びに持ち上げ払い出しが出来るようにした簡素な構造の運搬台車を考案した。
【考案の効果】
【０００６】その結果、運搬台車上の遊戯玉で満杯になった収容箱の遊戯玉を計数機に移し替える際に重くなった収容箱を下から持ち上げるという重作業を繰り返す事も無く、簡素でスリムな構造体になった運搬台車は狭い通路でも扱い易く、且簡素な構造の為安価な遊戯場用の運搬台車を提供する事が出来るようになった。
【考案を実施するための最良の形態】
【０００７】  本考案では運搬台車の台車基盤の四隅に４本の支柱を取り付け、その支柱は又上端部で上部枠により４隅を固定しておく、その上部枠と基盤の中間にその支柱に昇降の案内をされる形に収容箱受け台を設置し、その下側にその支柱で挿入保持される形で４本の圧縮バネを組み付けておく、又台車基盤には下面の四隅に車輪を取り付けておく。【０００８】  そして４隅の支柱は遊戯玉収容箱積み上げ時の位置姿勢を保持案内出来るように配置しておく、尚収容箱の形状によっては４本の支柱では収容箱の位置姿勢を保持できない場合があるのでその場合は支柱の数を４本以上とする場合もある。
そして収容箱は一般に平面的に長方形をしているので結果その支柱の配置も長方形の４隅になり上部枠の形状も長方形になるのでその縦長になった上部枠の前後方向の枠部形状を運搬台車を移動させる際の取手として使用できる形状にして置く。【０００９】  さらに箱受け台の下に取り付ける圧縮バネの強さは取り付けたバネ全部均等にして遊戯玉で満杯になった収容箱の重量とその積み上げ高さとの比に見合う強さのものとしておく。
尚、本運搬台車の高さ即ち上部枠の高さ位置は積み下ろしの作業性や移動の作業性から普通人の腰部高さ程度が最適と思われるが、高さと収容能力、台車の姿勢安定性等との兼ね合いで実用高さはその限りではない。【００１０】  以下にその具体的な形態を実施例を参照にしながら説明する。
【実施例】
【００１１】  図１は本考案の実施例の側面図であり、同図において台車基盤２の下部には４個の自在車輪３を取り付け、上側には４本の支柱４をその４本で遊戯球収容箱の積載位置が案内できるような配置に直立する形で取り付けてある。その支柱４は又上端部で上部枠７により固定されており、そしてその支柱４の下部に圧縮バネ５を挿入する形で設置し、その上に載せる形で箱受け台１を、その４隅に設けた滑合穴で支柱４に案内され昇降できるように設置してある。【００１２】  図２は図１の本考案品を平面的に見た図であるが、同図のように遊戯玉収容箱６は一般に長方形をしておりその積載姿勢を案内するように配置取り付ける支柱４の配置並びにそれらを固定する台車基盤２及び上部枠７も図示の如く長方形となる。  その結果運搬台車の移動方向はその縦長の前後方向にする方が狭い通路の移動にも移動作業の安定性からも最適であるので上部枠の縦長方向に取手８を取り付けておく。【００１３】    以上の様に構成した遊戯玉運搬台車において、取り付ける４本の圧縮バネ５のバネ弾性は、図１の収容箱に遊戯球を満杯にした時の積み上げ箱高さＨと重量Ｗとの比に見合う強さのものを取り付けるものとする、即ち使用バネが４本であれば一本のバネ弾性はＷ／４Ｈのものを使用する。
以上の様に構成した運搬台車の箱受け台１の上に遊戯玉で満杯になった収容箱６を積み上げてゆくと図３の説明線図に示すように総重量Ｗの収容箱１を１箱積み上げる毎に箱受け台１は１箱分の高さＨだけ下がることになり従って最上部の収容箱位置は常に一定高さを保つ事が出来る。  又従って積み下ろしの際にも同様に最上部の収容箱の高さは自動的に一定に保たれる事にもなる。【００１４】  その結果作業者が遊戯玉で満杯になった収容箱を積み上げた運搬台車から計数の為積み降ろしする際に作業者の負担の大きい中腰姿勢やしゃがむ動作が必要なくなり作業負荷を軽減する事が出来ることになる。
また本考案品の構造は主機能部分が収容箱受け台１の下に収まっており従って平面的に見た場合の占有面積が小さく従って遊技場の狭い通路で使用するには適した運搬台車を提供する事が出来る。【００１５】    図４は本考案の他の実施例を示すもので、収容箱形状に合わせて姿勢保持の為の支柱の本数を複数増やした例である。
【図面の簡単な説明】
【００１６】
【図１】  本考案の側面図である。
【図２】  図１の考案品の平面図である。
【図３】  説明線図である。
【図４】  本考案品の他の実施例の平面図である。
【符号の説明】
【００１７】１      箱受け台
２      台車基盤
３      車輪
４      支柱
５      バネ
６      遊戯玉収容箱
７      上部枠
８      取手
９      収容箱重量
１０    収容箱高さ
【図１】
0003130609.tif 000003
【図２】
0003130609.tif 000004
【図３】
0003130609.tif 000005
【図４】
0003130609.tif 000006
【手続補正書】
【提出日】平成19年1月23日(2007.1.23)
【手続補正１】
【補正対象書類名】実用新案登録請求の範囲
【補正対象項目名】全文
【補正方法】変更
【補正の内容】
【実用新案登録請求の範囲】
【請求項１】
台車基盤（２）と上部枠（７）とで固定された複数の支柱（４）と、その支柱に案内され上下に滑動する箱受け台（１）とその箱受け台の下側に支柱に支持案内される形にバネ（５）を取り付け、且台車基盤部に車輪（３）を取り付けてなる遊戯場用運搬台車。